(57)【要約】【課題】主に各種電子機器の操作に使用される導光シート及びこれを用いた可動接点体に関し、簡易な構成で、確実な操作が可能なものを提供することを目的とする。【解決手段】複数の発光部１２の略中央の基材１１内に、硬化部１１Ａを設けることで、導光シート１３の発光部１２下面の可動接点５の中心に対して、操作体１０の押圧部１０Ｄの中心の多少の位置ずれが生じた場合でも、中央上方の基材１１内の硬化部１１Ａによって、可動接点５は中央部が押圧されて弾性反転して、良好なクリック感触が得られるため、可動接点５の中央上方に突起部等を設ける必要がなく、簡易な構成で安価に形成できると共に、確実な操作が可能な導光シート、及びこれを用いた可動接点体を得ることができる。【選択図】図１
2014056726.tif 000002
【特許請求の範囲】
【請求項１】
フィルム状で光透過性の基材と、この基材下面または上面に形成された凸状の複数の発光部からなり、上記発光部の略中央の上記基材内に硬化部を設けた導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話や電子カメラ等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、容易で確実な操作を行えるものが求められている。
【０００３】
このような従来の導光シートや可動接点体について、図３を用いて説明する。
【０００４】
なお、この図面は構成を判り易くするために、部分的に寸法を拡大して表している。
【０００５】
図３は従来のスイッチの断面図であり、同図において、１はフィルム状で光透過性の基材で、この基材１下面の所定箇所には、凸状の複数の発光部２が設けられて、導光シート３が形成されている。
【０００６】
また、４はフィルム状のベースシート、５は略ドーム状で導電金属薄板製の可動接点で、ベースシート４外周の所定箇所が、接着剤（図示せず）によって導光シート３下面に貼付され、複数の可動接点５が発光部２下方のベースシート４下面に貼付されると共に、可動接点５中央上方のベースシート４上面には、略円柱状で絶縁樹脂製の複数の突起部４Ａが貼付されて、可動接点体６が構成されている。
【０００７】
さらに、７は上下面に複数の配線パターン（図示せず）が形成された配線基板で、上面には略円形状の中央固定接点８Ａと、これを囲む略馬蹄状または略リング状の外側固定接点８Ｂから形成された、複数の固定接点８が設けられている。
【０００８】
そして、この配線基板７上面に可動接点体６が、各々の可動接点５の外周が外側固定接点８Ｂ上に載置され、可動接点５の下面中央が中央固定接点８Ａと所定の間隙を空けて、対向するように貼付されている。
【０００９】
また、９は発光ダイオード等の発光素子で、複数の発光素子９が導光シート３側方の配線基板７上面に実装され、基材１の端面に発光面を向けて配置されている。
【００１０】
さらに、１０はゴム等の操作体で、光透過性の透光部１０Ａ上面に形成された塗装部１０Ｂの所定箇所が、文字や記号等の形状にくり抜かれて複数の表示部１０Ｃが形成されている。
【００１１】
また、この表示部１０Ｃが導光シート３の複数の発光部２上方に配置されると共に、表示部１０Ｃ下方に突出した複数の押圧部１０Ｄが、突起部４Ａ上方の基材１上面に当接して、スイッチが構成されている。
【００１２】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００１３】
以上の構成において、操作体１０の所定の表示部１０Ｃを下方へ押圧操作すると、この下面の押圧部１０Ｄが導光シート３を介して突起部４Ａを押圧すると共に、ベースシート４を介して可動接点５の略ドーム状の中央部が突起部４Ａによって押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００１４】
また、操作体１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００１５】
そして、このような固定接点８の電気的接離に応じて、機器の様々な機能の切換えが行われると共に、機器の電子回路から発光素子９に電源が供給されると、複数の発光素子９が発光し、この光が端面から導光シート３内に入射して、基材１内を反射しながら内方へ進む。
【００１６】
さらに、この光が基材１下面の複数の発光部２で拡散または反射して、これらの上方の操作体１０の表示部１０Ｃを下方から照光し、複数の表示部１０Ｃが照光されることによって、周囲が暗い場合でも、これらの表示部１０Ｃの文字や記号等の表示が識別でき、操作を容易に行うことが可能なようになっている。
【００１７】
また、この時、可動接点５中央上方のベースシート４上面には突起部４Ａが設けられ、この突起部４Ａを押圧部１０Ｄが押圧して、可動接点５の弾性反転が行われるため、可動接点５の中心に対して、押圧部１０Ｄの中心の多少の位置ずれが生じた場合でも、中央上方の突起部４Ａによって可動接点５は中央部が押圧されて弾性反転し、良好なクリック感触が得られるようになっている。
【００１８】
つまり、操作体１０を押圧操作することによって、突起部４Ａを介して良好なクリック感触で可動接点５を弾性反転させて、複数の固定接点８の電気的接離を行うと共に、発光素子９の光を端面から導光シート３内に導入し、複数の発光部２を発光させることによって、操作体１０の表示部１０Ｃを照光するように構成されているものであった。
【００１９】
なお、この出願の発明に関連する先行技術文献情報としては、例えば、特許文献１が知られている。
【先行技術文献】
【特許文献】
【００２０】
【特許文献１】特開２０１１−１７１０９１号公報
【発明の概要】
【発明が解決しようとする課題】
【００２１】
しかしながら、上記従来の導光シート３や可動接点体６においては、可動接点５の中心に対して、操作体１０の押圧部１０Ｄの中心の多少の位置ずれが生じた場合でも、良好なクリック感触で可動接点５を弾性反転させるために、複数の可動接点５中央上方のベースシート４上面に、複数の突起部４Ａを貼付して形成しているため、構成部品数が多くなると共に、複数の突起部４Ａを貼付する手間もかかってしまうという課題があった。
【００２２】
本発明は、このような従来の課題を解決するものであり、簡易な構成で、確実な操作が可能な導光シート及びこれを用いた可動接点体を提供することを目的とする。
【課題を解決するための手段】
【００２３】
上記目的を達成するために本発明は、複数の発光部の略中央の基材内に、硬化部を設けて導光シートを構成したものであり、導光シートの発光部下面の可動接点の中心に対して、操作体の押圧部の中心の多少の位置ずれが生じた場合でも、中央上方の基材内の硬化部によって、可動接点は中央部が押圧されて弾性反転して、良好なクリック感触が得られるため、可動接点の中央上方に突起部等を設ける必要がなく、簡易な構成で安価に形成できると共に、確実な操作が可能な導光シート、及びこれを用いた可動接点体を得ることができるという作用を有するものである。
【発明の効果】
【００２４】
以上のように本発明によれば、簡易な構成で、確実な操作が可能な導光シート及びこれを用いた可動接点体を実現することができるという有利な効果が得られる。
【図面の簡単な説明】
【００２５】
【図１】本発明の一実施の形態による可動接点体の断面図
【図２】同スイッチの断面図
【図３】従来のスイッチの断面図
【発明を実施するための形態】
【００２６】
以下、本発明の実施の形態について、図１及び図２を用いて説明する。
【００２７】
なお、これらの図面は構成を判り易くするために、部分的に寸法を拡大して表している。
【００２８】
また、背景技術の項で説明した構成と同一構成の部分には同一符号を付して、詳細な説明を簡略化する。
【００２９】
（実施の形態）
図１は本発明の一実施の形態による可動接点体の断面図であり、同図において、１１はフィルム状でポリウレタンやアクリル、シリコーン等の可撓性を有する光透過性の基材で、この基材１１下面の所定箇所には、凸状でポリエステルやエポキシ等の白色や乳白色等の複数の発光部１２が、印刷等によってドット状に形成されている。
【００３０】
そして、この複数の発光部１２の略中央上方の基材１１内には、略円形でショアＤ硬度３０〜８０度の、熱硬化性または紫外線硬化性の複数の硬化部１１Ａが設けられて、導光シート１３が構成されている。
【００３１】
なお、このような基材１１内に硬化部１１Ａを形成するには、基材１１に熱硬化性ポリウレタンやアクリルを用いた場合には、この下面に印刷等によって凸状の複数の発光部１２を形成した後、発光部１２の略中央上方の基材１１にレーザ光を照射して、基材１１を硬化させて複数の硬化部１１Ａを形成する。
【００３２】
あるいは、基材１１に熱可塑性ポリウレタンやシリコーンを用いた場合には、発光部１２の略中央上方の基材１１上面に、安息香酸エステル系の可塑剤やシリコーン系の硬化剤を塗布または印刷した後、１００〜１６０度前後で加熱し、これらを基材１１内に浸透させて、複数の硬化部１１Ａを形成する。
【００３３】
さらに、基材１１に紫外線硬化性ポリウレタン等を用いた場合には、発光部１２の略中央上方の基材１１に紫外線を照射して、基材１１を硬化させることによって、これらショアＡ硬度が４０〜９５度の基材１１内に、ショアＤ硬度３０〜８０度の硬化部１１Ａを形成することができる。
【００３４】
そして、４はフィルム状でポリエチレンテレフタレートやポリカーボネート等の可撓性を有するベースシート、５は略ドーム状で銅合金や鋼等の導電金属薄板製の可動接点で、ベースシート４外周の所定箇所が、アクリルやシリコーン等の接着剤（図示せず）によって導光シート１３下面に貼付されると共に、複数の可動接点５が発光部１２下方のベースシート４下面に貼付されている。
【００３５】
さらに、１５はポリエチレンテレフタレート等のフィルム状のセパレータで、このセパレータ１５がベースシート４下面全面を覆うように貼付され、保管・搬送時に可動接点５下面に塵埃等が付着しないようにして、可動接点体１６が構成されている。
【００３６】
また、図２はこのような可動接点体１６を用いたスイッチの断面図であり、同図において、７はポリエチレンテレフタレートやポリカーボネート等のフィルム状、または紙フェノールやガラス入りエポキシ等の板状の配線基板で、上下面には銅等によって複数の配線パターン（図示せず）が形成されると共に、上面には銅やカーボン等によって、略円形状の中央固定接点８Ａと、これを囲む略馬蹄状または略リング状の外側固定接点８Ｂから形成された、複数の固定接点８が設けられている。
【００３７】
そして、この配線基板７上面にセパレータ１５を剥離した可動接点体１６が、各々の可動接点５の外周が外側固定接点８Ｂ上に載置され、可動接点５の下面中央が中央固定接点８Ａと所定の間隙を空けて、対向するように貼付されている。
【００３８】
また、９は発光ダイオード等の発光素子で、複数の発光素子９が導光シート１３側方の配線基板７上面に実装され、基材１１の端面に発光面を向けて配置されている。
【００３９】
さらに、１０はゴムやエラストマー等の操作体で、光透過性の透光部１０Ａ上面に形成された塗装部１０Ｂの所定箇所が、文字や記号等の形状にくり抜かれて複数の表示部１０Ｃが形成されている。
【００４０】
また、この表示部１０Ｃが導光シート１３の複数の発光部１２上方に配置されると共に、表示部１０Ｃ下方に突出した複数の押圧部１０Ｄが、発光部１２の略中央上方の硬化部１１Ａ上面に当接して、スイッチが構成されている。
【００４１】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００４２】
以上の構成において、操作体１０の所定の表示部１０Ｃを下方へ押圧操作すると、この下面の押圧部１０Ｄが導光シート１３の硬化部１１Ａを押圧すると共に、ベースシート４を介して可動接点５の略ドーム状の中央部が硬化部１１Ａによって押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００４３】
また、操作体１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００４４】
そして、このような固定接点８の電気的接離に応じて、機器の様々な機能の切換えが行われると共に、機器の電子回路から発光素子９に電源が供給されると、複数の発光素子９が発光し、この光が端面から導光シート１３内に入射して、基材１１内を反射しながら内方へ進む。
【００４５】
さらに、この光が基材１１下面の複数の発光部１２で拡散または反射して、これらの上方の操作体１０の表示部１０Ｃを下方から照光し、複数の表示部１０Ｃが照光されることによって、周囲が暗い場合でも、これらの表示部１０Ｃの文字や記号等の表示が識別でき、操作を容易に行うことが可能なようになっている。
【００４６】
つまり、操作体１０を押圧操作することによって、硬化部１１Ａを介して可動接点５を弾性反転させて、複数の固定接点８の電気的接離を行うと共に、発光素子９の光を端面から導光シート１３内に導入し、複数の発光部１２を発光させることによって、操作体１０の表示部１０Ｃを照光するように構成されている。
【００４７】
そして、この時、可動接点５中央上方の基材１１内には硬化部１１Ａが設けられ、この硬化部１１Ａを押圧部１０Ｄが押圧して、可動接点５の弾性反転が行われるため、可動接点５の中心に対して、押圧部１０Ｄの中心の多少の位置ずれが生じた場合でも、中央上方の硬化部１１Ａによって可動接点５は中央部が押圧されて弾性反転し、良好なクリック感触が得られるようになっている。
【００４８】
すなわち、複数の発光部１２の略中央の基材１１内に硬化部１１Ａを設け、操作体１０を押圧操作した際、可動接点５の中心に対して、押圧部１０Ｄの中心の多少の位置ずれが生じていた場合でも、硬化部１１Ａを介して可動接点５の中心を押圧することによって、良好なクリック感触で可動接点５を弾性反転させることが可能なように構成されている。
【００４９】
さらに、この熱硬化性または紫外線硬化性の硬化部１１Ａは、レーザ光照射や加熱、あるいは紫外線照射等によって、比較的容易に発光部１２の略中央の基材１１内に形成できると共に、背景技術の項で説明したような可動接点５の中央上方の突起部等も不要となるため、製作も容易で安価に形成することができる。
【００５０】
なお、図１や図２では発光部１２の高さ寸法を拡大して表しているため、押圧操作した際、発光部１２を介して可動接点５が押圧されるようになっているが、発光部１２の高さは実際には５〜２０μｍ程度に形成されており、硬化部１１Ａがベースシート４を介して、ほぼ直接的に可動接点５の中央部を押圧して、可動接点５を弾性反転が行われるようになっている。
【００５１】
また、硬化部１１Ａの大きさは、携帯電話等の携帯端末機器においては通常、直径が３〜５ｍｍ前後の可動接点５が多く用いられるため、これより小さな直径０．５〜２ｍｍ、好ましくは直径１〜１．５ｍｍに形成することで、可動接点５を弾性反転させた際の良好なクリック感触を実現できる。
【００５２】
なお、以上の説明では、基材１１下面に印刷によって、凸状の複数の発光部１２を形成した構成について説明したが、基材１１上面に複数の発光部１２を設けた構成としても、本発明の実施は可能であり、また、印刷以外にも貼付やインクジェット、レーザ加工、プレス加工、成形加工等、様々な方法によっても凸状の発光部１２の形成は可能である。
【００５３】
さらに、以上の説明では、下面に複数の可動接点５が貼付されたベースシート４を、導光シート１３下面に貼付した構成について説明したが、ベースシート４をなくし、導光シート１３の下面に複数の可動接点５を直接貼付した構成とすれば、全体の構成部品数を減らし、可動接点体１６やスイッチをより簡易で安価に形成することができる。
【００５４】
このように本実施の形態によれば、複数の発光部１２の略中央の基材１１内に、硬化部１１Ａを設けることで、導光シート１３の発光部１２下面の可動接点５の中心に対して、操作体１０の押圧部１０Ｄの中心の多少の位置ずれが生じた場合でも、中央上方の基材１１内の硬化部１１Ａによって、可動接点５は中央部が押圧されて弾性反転して、良好なクリック感触が得られるため、可動接点５の中央上方に突起部等を設ける必要がなく、簡易な構成で安価に形成できると共に、確実な操作が可能な導光シート、及びこれを用いた可動接点体を得ることができるものである。
【産業上の利用可能性】
【００５５】
本発明による導光シート及びこれを用いた可動接点体は、簡易な構成で、確実な操作が可能なものを得ることができるという有利な効果を有し、主に各種電子機器の操作用として有用である。
【符号の説明】
【００５６】
４  ベースシート
５  可動接点
７  配線基板
８  固定接点
８Ａ  中央固定接点
８Ｂ  外側固定接点
９  発光素子
１０  操作体
１０Ａ  透光部
１０Ｂ  塗装部
１０Ｃ  表示部
１０Ｄ  押圧部
１１  基材
１１Ａ  硬化部
１２  発光部
１３  導光シート
１５  セパレータ
１６  可動接点体
【図１】
2014056726.tif 000003
【図２】
2014056726.tif 000004
【図３】
2014056726.tif 000005